(57)【要約】【課題】  記録、再生装置等の開口部とディスク状記録媒体の厚さが相対的に変化した場合でも適切に対応することができるディスク状記録媒体の装填機構を提供する。【解決手段】  ディスク挿入時はディスクを挿入する方向に搬送するよう回転駆動され、かつ該ディスク排出時は該回転と反対方向に回転駆動されてディスクを排出する方向に搬送する挿排ローラと、前記ディスクを挟んで反対側に設けられ、前記挿排ローラの回転トルクより小さい回転トルクで該ディスクを排出する方向に回転駆動される分離ローラと、を有し、前記挿入されるディスクが二重に重ねられて挿入されたときは、前記分離ローラとディスク間の摩擦を前記ディスク間の摩擦より大きくしてあるため、前記分離ローラが該分離ローラに接しているディスクを排出する方向に搬送する。【選択図】      図７
2005222651.tif 000002
【特許請求の範囲】
【請求項１】
ディスク挿入時はディスクを挿入する方向に搬送するよう回転駆動され、かつ該ディスク排出時は該回転と反対方向に回転駆動されてディスクを排出する方向に搬送する挿排ローラと、
前記ディスクを挟んで反対側に設けられ、前記挿排ローラの回転トルクより小さい回転トルクで該ディスクを排出する方向に回転駆動される分離ローラと
を有し、
前記挿入されるディスクが二重に重ねられて挿入されたときは、前記分離ローラが該分離ローラに接しているディスクを排出する方向に搬送することを特徴とする、ディスク状記録媒体の装填機構。
【請求項２】
前記分離ローラはトルクリミッタを介して駆動部に連結されており、前記挿入されるディスクが１枚のときには該トルクリミッタが作動し、該ディスクとの摩擦によりディスクが挿入される方向に回転する、請求項１に記載のディスク状記録媒体の装填機構。
【請求項３】
ディスク挿入時はディスクを挿入する方向に搬送するよう回転駆動され、かつ該ディスク排出時は該回転と反対方向に回転駆動されてディスクを排出する方向に搬送する挿排ローラと、
前記ディスクを挟んで反対側に設けられ、前記挿排ローラの回転トルクより小さい回転トルクで該ディスクを排出する方向に回転駆動される分離ローラと
を有し、
前記挿入されるディスクが多重に重ねられて挿入されたときは、前記分離ローラが該分離ローラに接しているディスクを排出する方向に回転し、該方向の回転を検出したときに前記挿排ローラの回転方向を切替え前記ディスクを排出する方向に回転させる手段を有することを特徴とする、ディスク状記録媒体の装填機構。
【請求項４】
前記分離ローラは回転エネルギーを蓄積する手段によって駆動される、請求項１−３に記載のディスク状記録媒体の装填機構。
【請求項５】
前記回転エネルギーを蓄積する手段はゼンマイである、請求項４に記載のディスク状記録媒体の装填機構。
【発明の詳細な説明】
【技術分野】
【０００１】
本発明は、光ディスク等のディスク形状の記録媒体の装填機構に関し、特にディスクの二重装填等を防止する機構に関する。
【背景技術】
【０００２】
ディスク形状の記録媒体を記録、再生装置等（以下、「装置」と記す。）に装填する従来の装填機構においては、媒体の二重装填を防止するため、装置に媒体を挿入する装填部の開口の形状を媒体の厚みに合わせて規制を行っている。
図１はディスク形状の記録媒体を装置に装填する従来の装填機構を示す図である。図１において、１はディスク形状の記録媒体（以下、「ディスク」と記す。）であり、矢印１１はディスク１の挿入方向を示す。２は装置においてディスクを装填する装填部の前面パネルで、開口部３を備えている。４は装填部の前面パネルのディスク挿入側の反対側に設けられた挿排ローラであり、ディスク挿入時は矢印４１から見て反時計方向に回転してディスクを装置に装填し、ディスク排出時は時計方向に回転してディスクを排出させる。
【０００３】
一般にディスク形状の記録媒体１には、例えばポリカーボネートが用いられている。そのため、前面パネル２の材料として金属を用いると、ディスク１の挿入時に開口部の金属材料の内側端部と接触し、摩擦により擦過傷等が付いてディスクそのものを損傷させることがある。そのようなことが生じないようにするため、開口部３を有する前面パネル２の材料として通常は樹脂が用いられている。
上記のようにディスク１は通常は例えばポリカーボネート等でできており、開口部３を有する前面パネル２は樹脂でできている。そのため、ディスク1及び前面パネル２は共に線膨張係数が大きく、図２に示すような問題が生ずる。
【０００４】
図２は装填部の前面パネル２の開口部３と開口部に挿入するディスク１の厚さの相対関係を示す図である。図２は装置を低温の環境に放置した場合の開口部３の断面形状を示す。低温の環境に長時間置かれると開口部３の空間の厚さａが小さくなる。一方、ディスク１は、規格において最大の厚さを有するディスクが高温の環境、例えば冬季に暖房のきいた部屋に長時間放置され、厚さｂが膨張した状態を示す。図２に示すように、このような場合ｂ＞ａとなり、媒体は１枚にも関わらず開口に挿入できない状態となる。このような状態は、例えば、厳寒の地で屋外に長時間放置しておいた車の装置に、屋内の暖房器具の近くに長時間放置しておいたディスクを挿入するような時に起こる。
【０００５】
図３は図２と逆の場合を示した図である。図３は、屋外の高温の環境下に長時間放置した車の装置に、屋内の冷房器具の近くに長時間放置しておいたディスクを挿入する場合の、前面パネル２の開口部３と、開口部に挿入するディスク１の厚さの相対関係を示す図である。ディスク１は規格において最小の厚さを有するもので、冷却されて体積が収縮し厚さｂは薄くなっている。一方、開口部３の空間の厚さａは、再生装置が高温の環境下に置かれていたので大きくなっている。
このような状態においては、２ｂ≦ａとなり、ディスク１が２枚重ねられた状態で開口部３に挿入されてしまう可能性がある。
【０００６】
ディスクプレーヤの誤挿入を防止する装置として、既にディスクが装填されているときに別のディスクが装填されるのを防止する装置が開示されている（特許文献１）。
【０００７】
【特許文献１】特願平８−１８０５４０号公報
【発明の開示】
【発明が解決しようとする課題】
【０００８】
本発明は、記録、再生装置等のディスク挿入開口部とディスク状記録媒体の厚さが相対的に変化した場合でも適切に対応することができるディスクの装填機構を提供することを目的とするものである。
【課題を解決するための手段】
【０００９】
本発明のディスク装填機構は、ディスク挿入時はディスクを挿入する方向に搬送するよう回転駆動され、かつ該ディスク排出時は該回転と反対方向に回転駆動されてディスクを排出する方向に搬送する挿排ローラと、前記ディスクを挟んで反対側に設けられ、前記挿排ローラの回転トルクより小さい回転トルクで該ディスクを排出する方向に回転駆動される分離ローラと、を有している。そして、前記分離ローラとディスク間の摩擦は前記ディスク間の摩擦より大きく設定されており、前記挿入されるディスクが二重に重ねられて挿入されたときは、前記分離ローラは該分離ローラに接しているディスクを排出する方向に搬送する。
【００１０】
前記分離ローラはトルクリミッタを介して駆動部に連結されており、前記挿入されるディスクが１枚のときには、挿排ローラのトルクＴ（ｈ）が分離ローラのトルクＴ（ｊ）より大きいため該トルクリミッタが作動し、該ディスクとの摩擦により分離ローラはディスクが挿入される方向に回転する。
【００１１】
また、本発明のディスク装填機構は、前記挿排ローラと分離ローラとを有している。そして、前記分離ローラとディスク間の摩擦は前記ディスク間の摩擦より大きく設定されており、挿入されるディスクが二重又は多重に重ねられて挿入されたときは、前記分離ローラは該分離ローラに接しているディスクを排出する方向に回転し、該方向の回転を検出したときに前記挿排ローラを前記ディスクを排出する方向に回転させる手段を有する。このように前記挿排ローラと分離ローラがディスクを排出する方向に回転するので、ディスクが多重に重ねられて挿入されたときはこれらを排出することができる。
また、前記分離ローラは回転エネルギーを蓄積する手段、例えばゼンマイによって駆動させることができる。
【発明の効果】
【００１２】
本発明によれば、ディスクが誤って二重に挿入された場合でもそのうちの１枚を排出できるので、ディスクが二重に装填されることを防止することができる。また、ディスクが二重又は多重に挿入された場合はディスクをすべて排出できるため、ディスクが二重又は多重に装填されることを防止することができる。
【発明を実施するための最良の形態】
【００１３】
図４は、本発明によるディスクの装填機構の概略を示す図である。１はディスクであり、矢印１１方向に移動させて装置の開口部（図示なし）に挿入される。４は装填部の前面パネルのディスク挿入側の反対側に設けられた挿排ローラであり、モータ（図示なし）に接続された駆動ギア４２によってディスク１の挿入時は矢印４１から見て反時計方向に回転し、ディスク排出時は時計方向に回転する。
５はディスク１が挿入及び排出されるときに移動をスムーズにするための受動ローラで駆動はされていない。
６は分離ローラであり、トルクリミッタ６１を介してモータ（図示なし）に接続された駆動ギア６２に連結されている。
【００１４】
図５は、図４の矢印４１の方向から見た挿排ローラ４、受動ローラ５、及び分離ローラ６の位置関係と回転方向を示す図である。この図はディスクを挿入する前の待機状態を示しており、挿排ローラ４、及び分離ローラ６は矢印に示されているように反時計方向に回転している。
図６は、図５に示す待機状態において、ディスク１を正常に１枚挿入したときの状態を示している。ディスクを挿入すると、まず受動ローラ５がこれを受け、矢印ｎ方向にディスクを搬送させるための案内をする。そして、ディスクのレーベル面（図でディスクの上側）が挿排ローラ４と接触し、挿排ローラ４が反時計方向に回転しているため摩擦抵抗によりディスク１を装置に挿入する方向（矢印ｎ方向）に搬送する。
【００１５】
一方、ディスク１のデータ面（図でディスクの下側）は分離ローラ６と接触する。分離ローラ６は図５に示すように反時計方向に回転しているため、ディスク１を矢印ｎと反対の方向に搬送しようとする。しかし、図４に示す挿排ローラ４のトルクＴ（ｈ）が分離ローラ６のトルクＴ（ｊ）より大きいため（Ｔ（ｈ）＞Ｔ（ｊ））、分離ローラ６は挿排ローラ４の回転方向と反対の時計方向に回転する。これは分離ローラ６がトルクリミッタ６１を有し、所定の値以上のトルクがかかると駆動ギア６２の回転力を伝えないようにし、分離ローラ６を空転させるためである。従って、このときの分離ローラ６とディスク１との相対速度は０となるように設定されている。
【００１６】
図７は、誤ってディスクを二重に装置内に挿入したときに一方のディスクを排出するローラの動きを表わした図である。上側のディスク１（１）と下側のディスク１（２）が誤って重ねられて挿入された場合、上側のディスク１（１）は挿排ローラ４により矢印ｎ方向に搬送され、下側のディスク（２）は分離ローラ６により上側のディスク１（１）とは反対方向（矢印ｍ方向）に搬送されて装置外に排出される。
【００１７】
本発明では、挿排ローラ４とディスク１（１）の上側との摩擦係数をμ１、分離ローラ６とディスク１（２）の下側との摩擦係数をμ２、そしてディスク１（１）と１（２）間の摩擦係数をμ３とすると、
μ１＞μ２＞μ３
に設定してある。そのため、ディスク１（１）と１（２）の間で滑りが生じ、上側のディスク１（１）は挿排ローラ４によって矢印ｎの方向に搬送される。一方、駆動ギア６２により反時計方向に回転している分離ローラ６には、μ２＞μ３であるため時計方向に回転させる大きさのトルクは加わらず、従ってトルクリミッタ６１は作動せず、駆動ギアの回転力が分離ローラに伝わる。そのため、下側のディスク１（２）は分離ローラ６によって矢印ｍの方向に搬送され、装置から排出される。
【００１８】
分離ローラ６はモータ（図示なし）に接続された駆動ギア６２により反時計方向の回転力が伝達され、時計方向の回転トルクが加わったときにはトルクリミッタ６１が作動してギア６２の回転力が分離モータ６に伝達されないようにしている。本発明ではモータによる駆動に代えて回転エネルギーを蓄積する手段、例えばゼンマイを用い、ここに回転エネルギーを蓄積し、ディスクの挿入時に挿排ローラ４とは逆にディスクを排出させる方向へ分離ローラ６を回転させるようにすることもできる。
【００１９】
誤ってディスクが２枚重なった状態で装置内に挿入された場合、図７に示すように一方のディスクは装置に挿入され、他方のディスクは装置から排出されるようにしている。しかし、誤ってディスクが二重又は多重に重なった状態で装置内に挿入された場合、これらのディスクをすべて排出させることもできる。以下、具体的に述べる。
【００２０】
図８は、誤ってディスクが二重に重なった状態で装置内に挿入された場合、両方のディスクを排出させる場合を示した図である。
分離ローラ６はギア６２により駆動され、トルクリミッタ６１が作動していなければ図５に示すように反時計方向に回転している。誤ってディスクが２枚重なった状態で装置内に挿入された場合、図７で説明したように、分離ローラ６は下側のディスク１（２）を排出する方向（反時計方向）に回転する。このとき、その回転を検出手段（図示なし）により検出する。トルクリミッタ６１が作動していなければ分離ローラ６は反時計方向に回転し、ディスク１（２）を排出する方向に回転する（矢印ｍ方向）。従って、トルクリミッタ６１が作動しているかどうかを検出し、作動していなければ分離ローラ６がディスクを排出する方向に回転していることを検出できる。
【００２１】
分離ローラ６がディスクを排出する方向に回転したことが検出されると、挿排ローラ４の回転方向を切替えてディスク１（１）排出させる方向に回転させる手段（図示なし）を設ける。そして、挿排ローラ４を図８に示すように時計方向に回転させ、下側のディスク１（１）だけでなく上側のディスク１（２）も矢印ｎ′方向に搬送し同時に排出する。
このように、一方のディスクだけでなく他方のディスクも排出させるため、ディスク間の相対速度が０、又は極めて小さくなるため、ディスク間の摩擦による損傷を著しく軽減させることができる。
【００２２】
図８は、ディスクが誤って２枚挿入された場合について説明した。しかし、３枚以上の場合であっても、分離ローラ６がディスクを排出する方向に回転したことを検出したときに挿排ローラ４の回転方向を切替えて時計方向に回転させれば、下側のディスク１（２）だけでなく上側の複数のディスクも同時に排出することができる。
【００２３】
上記のように、本発明によれば誤ってディスクが２枚重なった状態で装置内に挿入された場合でも、そのうち一方を排出し他方を挿入するようにできる。また、２枚又はそれ以上のディスクが重なった状態で装置内に挿入された場合でも、これらを排出させることができる。
【図面の簡単な説明】
【００２４】
【図１】ディスク形状の記録媒体を記録、再生装置等に装填する従来の装填機構を示す図である。
【図２】装填部の前面パネルの開口部と、開口部に挿入するディスクの厚さとの相対関係を示す図である。
【図３】装填部の前面パネルの開口部と、開口部に挿入するディスクの厚さとの相対関係を示す図である。
【図４】本発明によるディスク装填機構の概略を示す図である。
【図５】挿排ローラ、受動ローラ、及び分離ローラの位置関係と回転方向を示す図である。
【図６】ディスクを正常に挿入したときのローラの動きを示した図である。
【図７】ディスクを二重に挿入したときに一方のディスクを排出するローラの動きを示した図である。
【図８】ディスクを二重に挿入したときに両方のディスクを排出するローラの動きを示した図である。
【符号の説明】
【００２５】
１…ディスク状記録媒体
２…前面パネル
３…開口部
４…挿排ローラ
４２…駆動ギア
５…受動ローラ
６…分離ローラ
６１…トルクリミッタ
６２…駆動ギア
Ｔ（ｈ）…挿排ローラの回転トルク
Ｔ（ｊ）…分離ローラの回転トルク
【図１】
2005222651.tif 000003
【図２】
2005222651.tif 000004
【図３】
2005222651.tif 000005
【図４】
2005222651.tif 000006
【図５】
2005222651.tif 000007
【図６】
2005222651.tif 000008
【図７】
2005222651.tif 000009
【図８】
2005222651.tif 000010